(57)【要約】【課題】低消費電力で、かつ２つの異なるレーザ光の光軸を同一にして光ディスクに照射する光ピックアップ装置を提供する。【解決手段】２つのレーザ光を同一光軸の反射光１８として反射するミラー駆動部４と、ミラー駆動部４で反射した反射光１８を通過させ、光ディスク９からの戻り光を反射するビームスプリッタ６と、ビームスプリッタ６を通過した反射光１８を光ディスク９に集光する対物レンズ８と、からなり、ミラー駆動部４は、表面に誘導コイル１２が形成された基板１１上に載置され、中央部に開口部を有する軟磁性体１３と、軟磁性体１３の上方に配置され、軟磁性体１３と同形状の軟磁性体１４と、軟磁性体１３と軟磁性体１４との間に配置され、誘導コイル１２に電流を流すことによって発生する磁界により、軟磁性体１３或いは軟磁性体１４に吸着するミラー状の永久磁石１５と、からなる。【選択図】　　　図１
2004039005.tif 000002
【特許請求の範囲】
【請求項１】
第１のレーザ光を出射する第１レーザ光源と、
第２のレーザ光を出射する第２レーザ光源と、
前記第１レーザ光及び前記第２レーザ光を同一光軸の反射光として反射する反射ミラー駆動部と、
前記反射ミラー駆動部で反射した反射光を通過させ、光ディスクからの戻り光を反射するビームスプリッタと、
前記ビームスプリッタを通過した前記反射光を前記光ディスクに集光する対物レンズと、
前記光ディスクからの戻り光を前記ビームスプリッタで反射させて受光する受光部と、
からなる光ピックアップ装置において、
前記反射ミラー駆動部は、表面に誘導コイルが形成された軟磁性の基板上に載置され、中央部に開口部を有する第１軟磁性体と、
前記第１軟磁性体の上方に配置され、前記第１軟磁性体と同形状の第２軟磁性体と、
前記第１軟磁性体と前記第２軟磁性体との間に配置され、前記誘導コイルに電流を流すことによって発生する磁界により、前記第１軟磁性体或いは前記第２軟磁性体側に移動可能であり、かつ前記電流を遮断した後も吸着を持続するミラー状の永久磁石と、からなることを特徴とする光ピックアップ装置。
【請求項２】
前記第１及び第２のレーザ光の光軸の間隔をＬ、前記第１及び第２のレーザ光が前記永久磁石に入射する入射角をθとする時、前記第１軟磁性体と前記第２軟磁性体との間隔は、Ｌｃｏｓθ＋前記永久磁石の厚さであることを特徴とする請求項１記載の光ピックアップ装置。
【発明の詳細な説明】
【０００１】
【発明の属する技術分野】
本発明は、異なる波長のレーザ光を用いて、異なる仕様の光ディスクの記録及び再生を行う光ピックアップ装置に関するものである。
【０００２】
【従来の技術】
近年、光ディスク装置の普及に伴い、装置の低コスト化及び高信頼性化への要求が高まっている。このため、光学ピックアップの部品点数を削減し、部品コストを抑え、製造時の調整工程を簡略化し、工程中及び市場における不良発生率を低減する必要を生じている。ＣＤ／ＤＶＤ互換用２波長光ピックアップにおいても、低コスト化、高信頼性化を達成するために部品点数の削減の要請があり、光路の一部共用、対物レンズの共通化等が実施されている。
【０００３】
特開２００１−１３４９５３号公報には、互いに離間して配置され、異なる波長のレーザ光を出射する２つのレーザ光源と、前記２つのレーザ光源から出射した２つの波長の異なるレーザ光を反射し、光ディスクからの戻り光を通過させるビームスプリッタと、前記ビームスプリッタで反射された前記２つの波長の異なるレーザ光を平行にするコリメータレンズと、前記コリメータレンズにより平行にされた前記２つの波長の異なるレーザ光を反射するプリズムと、前記プリズムによって反射された前記２つの波長の異なるレーザ光を光ディスクに集光する対物レンズと、前記対物レンズを駆動して前記２つの波長の異なるレーザ光の光軸が同一となるように制御する駆動手段と、前記光ディスクからの情報信号を受光する受光部と、から構成される光ピックアップ装置において、前記レーザ光と前記対物レンズの光軸間を補償する補償信号を前記駆動手段に与える光軸間距離補償手段を設けて、２つのレーザ光源から出射される２つのレーザ光を同一光軸のレーザ光として前記光ディスクに照射して、仕様の異なる光ディスクを精度良く記録或いは再生することができることが開示されている。
【０００４】
【発明が解決しようとする課題】
しかしながら、前記補償信号を出力するために前記駆動手段と前記光軸間距離補償手段を設けているので、これらの手段を駆動するための余分な電力が必要となり、高コスト化を生じていた。
そこで、本発明は上記問題に鑑みて成されたものであり、低消費電力で、かつ２つの異なるレーザ光の光軸を同一にして光ディスクに照射する光ピックアップ装置を提供することを目的とするものである。
【０００５】
【課題を解決するための手段】
本発明に係る第１の発明は、第１のレーザ光を出射する第１レーザ光源と、第２のレーザ光を出射する第２レーザ光源と、前記第１レーザ光及び前記第２レーザ光を同一光軸の反射光として反射する反射ミラー駆動部と、前記反射ミラー駆動部で反射した反射光を通過させ、光ディスクからの戻り光を反射するビームスプリッタと、前記ビームスプリッタを通過した前記反射光を前記光ディスクに集光する対物レンズと、前記光ディスクからの戻り光を前記ビームスプリッタで反射させて受光する受光部と、からなる光ピックアップ装置において、前記反射ミラー駆動部は、表面に誘導コイルが形成された軟磁性の基板上に載置され、中央部に開口部を有する第１軟磁性体と、前記第１軟磁性体の上方に配置され、前記第１軟磁性体と同形状の第２軟磁性体と、前記第１軟磁性体と前記第２軟磁性体との間に配置され、前記誘導コイルに電流を流すことによって発生する磁界により、前記第１軟磁性体或いは前記第２軟磁性体側に移動可能であり、かつ前記電流を遮断した後も吸着を持続するミラー状の永久磁石と、からなることを特徴とする光ピックアップ装置を提供する。
第２の発明は、前記第１及び第２のレーザ光の光軸の間隔をＬ、前記第１及び第２のレーザ光が前記永久磁石に入射する入射角をθとする時、前記第１軟磁性体と前記第２軟磁性体との間隔は、Ｌｃｏｓθ＋前記永久磁石の厚さであることを特徴とする請求項１記載の光ピックアップ装置を提供する。
【０００６】
【発明の実施の形態】
本発明の実施形態における光ピックアップ装置について図１及び図２を用いて説明する。
図１は、本発明の実施形態における光ピックアップ装置を示す概略断面図である。
図２は、反射ミラー駆動部を示す断面図であり、（Ａ）は、ＣＤ用レーザ光を反射させる際のミラー位置を示し、（Ｂ）は、ＤＶＤ用レーザ光を反射させる際のミラー位置を示す図である。
【０００７】
本発明の実施形態における光ピックアップ装置１は、特開２０００１−１３４９５３号公報開示の光ピックアップ装置において、第１及び第２のレーザ光源とコリメータレンズの間に光路中にミラー反射駆動部４を設け、前記駆動手段と前記光軸間距離補償手段を不要としたものであり、それ以外は同様である。
【０００８】
即ち、図１に示すように、本発明の実施形態の光ピックアップ装置１は、互いに所定の間隔を有して平行配置された第１及び第２のレーザ光源２、３と、この第１及び第２のレーザ光源２、３から出射した波長の異なる平行な第１及び第２レーザ光１６、１７を同一光軸の反射光１８として反射する反射ミラー駆動部４と、この反射ミラー駆動部４で反射された反射光１８を平行にするコリメータレンズ５と、このコリメータレンズ５により平行にされた反射光１８を通過させ、光ディスク９からの戻り光を反射するビームスプリッタ６と、このビームスプリッタ６を通過した前記レーザ光を反射するプリズム７と、このプリズム７によって反射された前記レーザ光を光ディスク９に集光する対物レンズ８と、ビームスプリッタ６で反射された光ディスク９からの戻り光を受光する受光部１０と、から構成されている。
ここで、第１のレーザ光源２は、ＣＤ用レーザ光源であり、第２のレーザ光源３は、ＤＶＤ用レーザ光源であり、光ディスク９は、ＣＤ用或いはＤＶＤ用光ディスクである。
【０００９】
図２（Ａ）、（Ｂ）に示すように、反射ミラー駆動部４は、表面に誘導コイル１２が形成された軟磁性体からなる基板１１上に載置され、中央部に開口部１３ａを有する第１軟磁性体１３と、この第１軟磁性体１３の上方に所定間隙を有して配置され、第１軟磁性体１３と略同形状の開口部１４ａを有する第２軟磁性体１４と、前記所定間隙に配置され、誘導コイル１２に電流を流すことによって発生する磁界により、第１軟磁性体１３或いは第２軟磁性体１４側に移動可能であり、かつ、前記電流を遮断した後も吸着を持続する平板ミラー状の永久磁石１５と、からなる。
【００１０】
この際、互いに平行な第１及び第２のレーザ光１６、１７の光軸の間隔をＬ、永久磁石１５に対する法線をＭ、第１及び第２のレーザ光１６、１７の永久磁石１５に対する入射角をθとする時、第１軟磁性体１３と第２軟磁性体１４との間隙は、Ｌｃｏｓθ＋永久磁石１５の厚さである。このようにして、第１及び第２のレーザ光１６、１７を反射光１８として反射させることができる。
ここでは、第１のレーザ光１６の波長は、７８０ｎｍであり、第２のレーザ光１７の波長は、６５０ｎｍである。
【００１１】
次に、第１のレーザ光源２から出射される第１のレーザ光１６と第２の光源３から出射される第２のレーザ光１７の反射光を反射光１８として光軸を一致させるようにして、ＣＤ用又はＤＶＤ用の光ディスク９の記録及び再生を行う場合について説明する。
まずは、光ディスク９がＣＤである場合の記録及び再生する場合について説明する。
この場合には、第１のレーザ光源２を用いる。
図２（Ａ）に示すように、反射ミラー駆動部４を第１軟磁性体１３上に吸着させた状態で、第１のレーザ光源２から出射される第１のレーザ光１６を反射ミラー駆動部４のミラー状の永久磁石１５に照射して、反射光１８として反射させた後、コリメータレンズ５で平行にした後、ビームスプリッタ６を通過させ、プリズム７で反射させ対物レンズ８で集光して光ディスク９に照射する。次に、光ディスク９からの戻り光を対物レンズ８、プリズム７を通過させ、ビームスプリッタ６で反射させて受光部１０で検知した後、図示しない回路で信号処理を行って記録及び再生する。
この場合には、反射ミラー駆動部４の第１軟磁性体１３上の誘導コイル１２に電流を流さない。
【００１２】
次に、光ディスク９がＤＶＤである場合の記録及び再生について説明する。
この場合には、第２のレーザ光源３を用いる。
まず、図２（Ｂ）に示すように、反射ミラー駆動部４の基板１１上の誘導コイル１２に電流を流して、永久磁石１５に斥力を生じる磁界を発生させ、第１軟磁性体１３から永久磁石１５を押し上げて第２軟磁性体１４に吸着させる。この結果、第２軟磁性体１４は、磁性体であるので、永久磁石１５は、第２軟磁性体１４に吸着される。
【００１３】
この状態で、第２のレーザ光源３から出射される第２のレーザ光１７を反射ミラー駆動部４のミラー状の永久磁石１５に照射して、反射光１８として反射させた後、ＣＤ用の光ディスク９の記録及び再生と同様にしてＤＶＤ用の光ディスク９の記録及び再生を行う。この際、永久磁石１５が第２軟磁性体１４に吸着保持された後は、誘導コイル１２に流す電流を停止する。
第２軟磁性体１４に吸着された永久磁石１５を第１軟磁性体１３側に戻すには、誘導コイル１２に流す電流を前記したと逆向きにして前記磁界と逆向きの磁界を発生させて行う。
【００１４】
以上のように、本発明の実施形態によれば、反射ミラー駆動部４を備えているので、第１のレーザ光１６を反射させる場合には、誘導コイル１２に電流を流さないで、永久磁石１５を第１軟磁性体１３に吸着させた状態で、第２のレーザ光１７を反射させる場合には、誘導コイル１２に電流を流して永久磁石１５を第２軟磁性体に吸着させた後は、誘導コイル１２に電流を流すことを停止した状態で、第１及び第２のレーザ光１６、１７を永久磁石１５で反射させて同一光軸の反射光１８にして光ディスク９に照射できるため、低消費電力で駆動することができる。この結果、低コストで駆動できる光ピックアップ装置１を得ることができる。
【００１５】
【発明の効果】
本発明によれば、反射ミラー駆動部は、表面に誘導コイルが形成された軟磁性の基板上に載置され、中央部に開口部を有する第１軟磁性体と、前記第１軟磁性体の上方に配置され、前記第１軟磁性体と同形状の第２軟磁性体と、前記第１軟磁性体と前記第２軟磁性体との間に配置され、前記誘導コイルに電流を流すことによって発生する磁界により、前記第１軟磁性体或いは前記第２軟磁性体側に移動可能であり、かつ前記電流を遮断した後も吸着を持続するミラー状の永久磁石と、からなるので、前記第１のレーザ光を反射させる場合には、前記誘導コイルに電流を流さないで、前記永久磁石を前記第１軟磁性体に吸着させた状態で、前記第２のレーザ光を反射させる場合には、前記誘導コイルに電流を流して前記永久磁石を前記第２軟磁性体に吸着させた後は、前記誘導コイルに電流を流すことを停止した状態で、前記第１及び第２のレーザ光を前記永久磁石で反射させて同一光軸の反射光にして光ディスクに照射できるため、低消費電力で駆動することができる。この結果、低コストで駆動できる光ピックアップ装置を得ることができる。
【図面の簡単な説明】
【図１】本発明の実施形態における光ピックアップ装置を示す概略断面図である。
【図２】反射ミラー駆動部を示す断面図であり、（Ａ）は、ＣＤ用レーザ光を反射させる際のミラー位置を示し、（Ｂ）は、ＤＶＤ用レーザ光を反射させる際のミラー位置を示す図である。
【符号の説明】
１…光ピックアップ装置、２…第１のレーザ光源、３…第２のレーザ光源、４…反射ミラー駆動部、５…コリメータレンズ、６…ビームスプリッタ、７…プリズム、８…対物レンズ、９…光ディスク、１０…受光部、１１…基板、１２…誘導コイル、１３…第１軟磁性体、１４…第２軟磁性体、１５…永久磁石、１６…第１のレーザ光、１７…第２のレーザ光、１８…反射光
【図１】
2004039005.tif 000003
【図２】
2004039005.tif 000004